(57)【特許請求の範囲】
【請求項１】
通信ネットワークを介してブラウザ機能を有するコンピュータ構成の情報処理端末によるアクセスが可能であり、制御プログラムに従い情報処理を実行するコンピュータが、広告の依頼データとチラシ広告の画像データとを有する広告掲載データを記憶部に記憶させる広告記憶ステップと、
前記コンピュータが、前記記憶部に記憶されている前記画像データを複数の所定の領域毎に分割する分割ステップと、
前記コンピュータが、前記通信ネットワークを介しての前記情報表示端末からの広告表示要求に応じて、前記記憶部に記憶された前記広告掲載データ中の前記画像データに基づく広告情報を、当該情報処理端末においてブラウズ可能で前記分割した領域毎の選択指定可能なように前記通信ネットワークを介して送信する広告提供ステップと、
前記コンピュータが、前記分割した領域の画像データが前記情報表示端末の前記画像選択手段により選択された回数を前記分割した領域毎に記憶部に記憶させる回数記憶ステップと、
前記コンピュータが、通信ネットワークを介しての前記情報表示端末からの回数表示要求に応じて、前記記憶部に記憶された前記回数を前記分割した領域に表示する形態のアクセスログ表示ページのデータを、当該情報表示端末においてブラウズ可能なように前記通信ネットワークを介して送信する回数提供ステップと、
を備えるインターネットを利用した広告提供方法。
【請求項２】
前記広告掲載データは、広告対象物を扱う店の地域情報を含み、
前記広告提供ステップは、前記情報表示端末により指定された地域の広告情報を送信する請求項１記載のインターネットを利用した広告提供方法。
【請求項３】
前記画像データは、チラシ広告を読取装置によって光学的に読み取って得た画像データである請求項１又は２記載のインターネットを利用した広告提供方法。
【請求項４】
前記画像データは、チラシ広告の印刷用の画像データである請求項１又は２記載のインターネットを利用した広告提供方法。
【請求項５】
通信ネットワークを介してブラウザ機能を有するコンピュータ構成の情報処理端末によるアクセスが可能であり、制御プログラムに従い情報処理を実行するコンピュータであって、
広告の依頼データとチラシ広告の画像データとを有する広告掲載データを記憶部に記憶させる広告記憶手段と、
前記記憶部に記憶されている前記画像データを複数の所定の領域毎に分割する手段と、
前記通信ネットワークを介しての前記情報表示端末からの広告表示要求に応じて、前記記憶部に記憶された前記広告掲載データ中の前記画像データに基づく広告情報を、当該情報処理端末においてブラウズ可能で前記分割した領域毎の選択指定可能なように前記通信ネットワークを介して送信する広告提供手段と、
前記分割した領域の画像データが前記情報表示端末の前記画像選択手段により選択された回数を前記分割した領域毎に記憶部に記憶させる手段と、
通信ネットワークを介しての前記情報表示端末からの回数表示要求に応じて、前記記憶部に記憶された前記回数を前記分割した領域に表示する形態のアクセスログ表示ページのデータを、当該情報表示端末においてブラウズ可能なように前記通信ネットワークを介して送信する手段と、
を備える広告提供処理装置。
【請求項６】
前記広告掲載データは、広告対象物を扱う店の地域情報を含み、
前記広告提供手段は、前記情報表示端末により指定された地域の広告情報を送信する請求項５記載の広告提供処理装置。
【請求項７】
通信ネットワークを介してブラウザ機能を有するコンピュータ構成の情報処理端末によるアクセスが可能であり、制御プログラムに従い情報処理を実行するコンピュータであるサーバにインストールされ、このサーバに、
広告の依頼データとチラシ広告の画像データとを有する広告掲載データを記憶部に記憶させる広告記憶機能と、
前記記憶部に記憶されている前記画像データを複数の所定の領域毎に分割する機能と、
前記通信ネットワークを介しての前記情報表示端末からの広告表示要求に応じて、前記記憶部に記憶された前記広告掲載データ中の前記画像データに基づく広告情報を、当該情報処理端末においてブラウズ可能で前記分割した領域毎の選択指定可能なように前記通信ネットワークを介して送信する広告提供機能と、
前記分割した領域の画像データが前記情報表示端末の前記画像選択手段により選択された回数を前記分割した領域毎に記憶部に記憶させる機能と、
通信ネットワークを介しての前記情報表示端末からの回数表示要求に応じて、前記記憶部に記憶された前記回数を前記分割した領域に表示する形態のアクセスログ表示ページのデータを、当該情報表示端末においてブラウズ可能なように前記通信ネットワークを介して送信する機能と、
を実行させる機械読み取り可能な広告提供処理プログラム。
【請求項８】
前記広告掲載データは、広告対象物を扱う店の地域情報を含み、
前記広告提供機能は、前記情報表示端末により指定された地域の広告情報を送信する請求項７記載の広告提供処理プログラム。
【発明の詳細な説明】
【０００１】
【発明の属する技術分野】
本発明は、新聞の折込チラシ広告等のチラシ広告を用いてのインターネットを利用した広告提供方法、広告提供処理装置及び広告提供処理プログラムに関する。
【０００２】
【従来の技術】
従来、スーパーマーケットなどの小売業者が消費者に対して商品の広告を行なう手段として、その広告情報を印刷したチラシ広告を用いることが広く行なわれている。このようなチラシ広告は、一般的に新聞などの折込チラシ広告として利用されている。
【０００３】
【発明が解決しようとする課題】
しかしながら、新聞の折込チラシ広告は、ある限られた地域に対して配布されるものであるため、消費者の住んでいる地域以外の折込チラシ広告が配布されることがなく、例えば消費者の勤務地が住居と離れていて、それらの地域の折込チラシ広告が異なる場合に、勤務地地域の折込チラシ広告を見ようとしても配布されていないので見ることができず、消費者にとっては満足するものではない。
【０００４】
また、例えば、小売業者にとっては、チラシ広告を見た消費者がチラシ広告に掲載した商品のどれに関心を示しているのかが分からず、消費者の示す関心を商品構成などに反映することができない。さらに、消費者がチラシ広告のどの部分をよく見ているのかが分からず、例えば、消費者に最も広告したい商品をチラシのどの部分に掲載すれば良いのかが分からない。
【０００５】
一方、近年では、インターネットを利用して、小売業者が自社の広告情報をウェブページに掲載し、消費者に広告情報を提供することが行われている。さらには、それらの広告情報を地域別に掲載し、消費者に対して地域別に広告情報を提供するサービスも行なわれている。消費者は、例えば、インターネットに接続可能であってウェブページ閲覧が可能であるブラウザソフトを備えるパソコンによって、これらの広告情報を見ることができ、消費者の満足するところとなった。
【０００６】
しかし、このようなインターネットを利用した広告の提供においては、ウェブページに掲載する広告情報をパソコン等によって電子情報化する作業に手間がかかっている。
【０００７】
本発明の第一の目的は、チラシ広告を利用することにより、インターネットを利用した広告の広告情報の作成作業にかかる手間を低減することである。
【０００８】
本発明の第二の目的は、チラシ広告に掲載した商品に対する消費者の示す関心を把握することである。
【０００９】
本発明の第三の目的は、消費者がチラシ広告のどの部分をよく見ているのかを把握することである。
【００１０】
【課題を解決するための手段】
請求項１記載のインターネットを利用した広告提供方法の発明は、通信ネットワークを介してブラウザ機能を有するコンピュータ構成の情報処理端末によるアクセスが可能であり、制御プログラムに従い情報処理を実行するコンピュータが、広告の依頼データとチラシ広告の画像データとを有する広告掲載データを記憶部に記憶させる広告記憶ステップと、前記コンピュータが、前記記憶部に記憶されている前記画像データを複数の所定の領域毎に分割する分割ステップと、前記コンピュータが、前記通信ネットワークを介しての前記情報表示端末からの広告表示要求に応じて、前記記憶部に記憶された前記広告掲載データ中の前記画像データに基づく広告情報を、当該情報処理端末においてブラウズ可能で前記分割した領域毎の選択指定可能なように前記通信ネットワークを介して送信する広告提供ステップと、前記コンピュータが、前記分割した領域の画像データが前記情報表示端末の前記画像選択手段により選択された回数を前記分割した領域毎に記憶部に記憶させる回数記憶ステップと、前記コンピュータが、通信ネットワークを介しての前記情報表示端末からの回数表示要求に応じて、前記記憶部に記憶された前記回数を前記分割した領域に表示する形態のアクセスログ表示ページのデータを、当該情報表示端末においてブラウズ可能なように前記通信ネットワークを介して送信する回数提供ステップと、を備える。
【００１１】
したがって、チラシ広告の広告情報を通信ネットワークを介して、消費者の情報表示端末に提供することが可能である。また、消費者は、情報端末において、チラシ広告の中で関心のある領域の広告情報の提供を受けることが可能である。そして、広告主は、消費者が選択したチラシ広告の領域の選択回数情報を得ることが可能である。
【００１２】
請求項２記載の発明は、請求項１記載のインターネットを利用した広告提供方法において、前記広告掲載データは、広告対象物を扱う店の地域情報を含み、前記広告提供ステップは、前記情報表示端末により指定された地域の広告情報を送信する。
【００１３】
したがって、消費者は、情報表示端末において地域毎のチラシ広告の広告情報の提供を受けることが可能である。
【００２０】
ここで、請求項１又は２記載のインターネットを利用した広告提供方法において、前記画像データは、チラシ広告を読取装置によって光学的に読み取って得た画像データであっても、チラシ広告の印刷用の画像データであっても良い（請求項３、４）。
【００２１】
請求項５記載の広告提供処理装置の発明は、通信ネットワークを介してブラウザ機能を有するコンピュータ構成の情報処理端末によるアクセスが可能であり、制御プログラムに従い情報処理を実行するコンピュータであって、広告の依頼データとチラシ広告の画像データとを有する広告掲載データを記憶部に記憶させる広告記憶手段と、前記記憶部に記憶されている前記画像データを複数の所定の領域毎に分割する手段と、前記通信ネットワークを介しての前記情報表示端末からの広告表示要求に応じて、前記記憶部に記憶された前記広告掲載データ中の前記画像データに基づく広告情報を、当該情報処理端末においてブラウズ可能で前記分割した領域毎の選択指定可能なように前記通信ネットワークを介して送信する広告提供手段と、前記分割した領域の画像データが前記情報表示端末の前記画像選択手段により選択された回数を前記分割した領域毎に記憶部に記憶させる手段と、通信ネットワークを介しての前記情報表示端末からの回数表示要求に応じて、前記記憶部に記憶された前記回数を前記分割した領域に表示する形態のアクセスログ表示ページのデータを、当該情報表示端末においてブラウズ可能なように前記通信ネットワークを介して送信する手段と、を備える。
【００２２】
したがって、チラシ広告の広告情報を通信ネットワークを介して、消費者の情報表示端末に提供することが可能である。また、消費者は、情報端末において、チラシ広告の中で関心のある領域の広告情報の提供を受けることが可能である。そして、広告主は、消費者が選択したチラシ広告の領域の選択回数情報を得ることが可能である。
【００２３】
請求項６記載の発明は、請求項５記載の広告提供処理装置において、前記広告掲載データは、広告対象物を扱う店の地域情報を含み、前記広告提供手段は、前記情報表示端末により指定された地域の広告情報を送信する。
【００２４】
したがって、消費者は、情報表示端末において地域毎のチラシ広告の広告情報の提供を受けることが可能である。
【００２５】
請求項７記載の機械読み取り可能な広告提供処理プログラムの発明は、通信ネットワークを介してブラウザ機能を有するコンピュータ構成の情報処理端末によるアクセスが可能であり、制御プログラムに従い情報処理を実行するコンピュータであるサーバにインストールされ、このサーバに、広告の依頼データとチラシ広告の画像データとを有する広告掲載データを記憶部に記憶させる広告記憶機能と、前記記憶部に記憶されている前記画像データを複数の所定の領域毎に分割する機能と、前記通信ネットワークを介しての前記情報表示端末からの広告表示要求に応じて、前記記憶部に記憶された前記広告掲載データ中の前記画像データに基づく広告情報を、当該情報処理端末においてブラウズ可能で前記分割した領域毎の選択指定可能なように前記通信ネットワークを介して送信する広告提供機能と、前記分割した領域の画像データが前記情報表示端末の前記画像選択手段により選択された回数を前記分割した領域毎に記憶部に記憶させる機能と、通信ネットワークを介しての前記情報表示端末からの回数表示要求に応じて、前記記憶部に記憶された前記回数を前記分割した領域に表示する形態のアクセスログ表示ページのデータを、当該情報表示端末においてブラウズ可能なように前記通信ネットワークを介して送信する機能と、を実行させる。
【００２６】
したがって、チラシ広告の広告情報を通信ネットワークを介して、消費者の情報表示端末に提供することが可能である。また、消費者は、情報端末において、チラシ広告の中で関心のある領域の広告情報の提供を受けることが可能である。そして、広告主は、消費者が選択したチラシ広告の領域の選択回数情報を得ることが可能である。
【００２７】
請求項８記載の発明は、請求項７記載の広告提供処理プログラムにおいて、前記広告掲載データは、広告対象物を扱う店の地域情報を含み、前記広告提供機能は、前記情報表示端末により指定された地域の広告情報を送信する。
【００２８】
したがって、消費者は、情報表示端末において地域毎のチラシ広告の広告情報の提供を受けることが可能である。
【００２９】
【発明の実施の形態】
＜参考例＞
本発明の参考例として、インターネットを利用した広告提供システムに基づいて説明する。なお、説明には、図１ないし図１８を参照する。
【００３０】
本参考例は、図１に示すように、
１）チラシ広告を用いてのインターネットを利用した広告を広告ウェブサイトによって提供する広告ウェブ管理者。
２）広告主である小売業者Ａ、Ｂ、Ｃ。
３）新聞の折込チラシ広告用等のチラシ広告を作成する印刷業者。
４）インターネット広告を閲覧する消費者。
５）インターネットへの接続サービスを提供するインターネットサービスプロバイダ。
の間で行われる小売業者のインターネットを利用した広告提供方法、広告提供処理装置及び広告提供処理プログラムへの適用例である（以下の実施の形態でも同じ）。
【００３１】
ここで、小売業者Ａは、自社でインターネットに接続する手段を有する業者、小売業者Ｂは、インターネットサービスプロバイダを介すことでインターネットに接続可能な業者、小売業者Ｃは、インターネットに接続する手段を有しない業者である。また、小売業者として、スーパーマーケットを例に説明する。
【００３２】
図１は、インターネットを利用した広告提供システムの全体構成を概略的に示す模式図である。図１に示すように、インターネットを利用した広告提供システム１は、インターネット上のＷＷＷ（World Wide Web）サーバとしての機能を有する広告ウェブ管理者の広告提供処理装置であるサーバコンピュータ（以下、サーバという）２を備えており、このサーバ２は、通信ネットワークであるインターネット通信網３を介してアクセス可能な広告ウェブサイトを提供する。このサーバ２には、通信ネットワークであるＬＡＮ（Local Area Network）４を介して情報表示端末であるクライアントＰＣ（personal Computer）５が接続されている。クライアントＰＣ５には、広告情報であるチラシ広告を光学的に読み取り可能な読取装置であるスキャナ６が接続されている。
【００３３】
また、インターネットを利用した広告提供システム１には、小売業者Ａ、Ｂ、印刷業者、消費者のそれぞれの情報表示端末であるＰＣ７、８、９、１０が設けられている。
【００３４】
小売業者ＡのＰＣ７には、インターネット通信網３に接続可能なサーバ１１が接続されており、これによりＰＣ７をインターネット通信網３に接続することが可能となっている。さらに、ＰＣ７には、チラシ広告を光学的に読み取り可能な読取装置であるスキャナ１２が接続されている。
【００３５】
小売業者ＢのＰＣ８には、チラシ広告を光学的に読み取り可能な読取装置であるスキャナ１３が接続されている。ＰＣ８は、インターネットサービスプロバイダのインターネット通信網３に接続可能なサーバ１４にダイヤルアップ接続や専用線接続等の手段によって接続することによりインターネット通信網３に接続可能となっている。
【００３６】
印刷業者のＰＣ８には、インターネット通信網３に接続可能なサーバ１５が接続されており、これによりＰＣ８をインターネット通信網３に接続することが可能となっている。
【００３７】
消費者のＰＣ１０は、インターネットサービスプロバイダのサーバ１４にダイヤルアップ接続や専用線接続等の手段によって接続することによりインターネット通信網３に接続可能となっている。
【００３８】
ここで、図１中の印刷業者と小売業者Ａ、Ｂ、Ｃとの間に示す矢印と、小売業者Ｃと広告ウェブ管理者との間に示す矢印とは、通信ネットワークの接続を示しているものではなく、印刷業者が小売業者から依頼されて作成したチラシ広告の物理的な移動を示している。
【００３９】
次に、インターネットを利用した広告提供システム１が行なう処理の流れを図１を参照して概略的に説明する。小売業者Ａは、新聞の折込チラシ広告用に印刷業者に作成させたチラシ広告をスキャナ１２で読み取り、ＰＣ７により画像データであるチラシ画像データに変換する（変換ステップ）。そして、ＰＣ７によってサーバ１１とインターネット通信網３とを経由して広告ウェブサイトにアクセスし、そのチラシ画像データと広告対象物を扱う店の地域情報を含む広告の依頼データとを有する広告掲載データを広告ウェブ管理者のサーバ２に送る。
【００４０】
小売業者Ｂは、新聞の折込チラシ広告用に印刷業者に作成させたチラシ広告をスキャナ１３で読み取りＰＣ８によりチラシ画像データに変換する（変換ステップ）。そして、ＰＣ８によってインターネットサービスプロバイダのサーバ１４とインターネット通信網３とを経由して広告ウェブサイトにアクセスし、そのチラシ画像データと広告の依頼データとを有する広告掲載データを広告ウェブ管理者のサーバ２に送る。
【００４１】
小売業者Ｃは、インターネット通信網３への接続手段を有しないので、新聞の折込チラシ広告用に印刷業者に作成させたチラシ広告を広告ウェブ管理者に持ち込む。広告ウェブ管理者は、スキャナ６によりそのチラシ広告を読み取り、ＰＣ５によりチラシ画像データに変換する。そして、そのチラシ画像データをＰＣ５によってＬＡＮ４を経由して広告ウェブサイトにアクセスし、そのチラシ画像データと広告の依頼データとを有する広告掲載データをサーバ２に送る。
【００４２】
また、小売業者Ａ、Ｂ、Ｃから依頼されて作成した新聞の折込チラシ広告用のチラシ広告のチラシ画像データが印刷業者にある場合には、小売業者Ａ、Ｂは、そのチラシ画像データを印刷業者より入手して、チラシ画像データを各々のＰＣ７、８から広告ウェブ管理者のサーバ２に送ってもよい。さらには、小売業者Ａ、Ｂ、Ｃは、印刷業者のＰＣ９によってサーバ１５とインターネット通信網３とを経由して広告ウェブサイトにアクセスし、そのチラシ画像データと広告の依頼データとを有する広告掲載データを広告ウェブ管理者のサーバ２に送っても良い。
【００４３】
このようにして、小売業者Ａ、Ｂ、Ｃ、印刷業者から送られたチラシ画像データと広告の依頼データとを有する広告掲載データは、広告ウェブ管理者のサーバ２に記憶される（広告記憶ステップ、広告記憶手段、広告記憶機能）。そして、サーバ２は、それらの広告掲載データに基づいた広告情報を広告ウェブサイトに提供する。
【００４４】
消費者は、ＰＣ１０をインターネットサービスプロバイダのサーバ１４とインターネット通信網３とを経由して広告ウェブ管理者のサーバ２が提供する広告ウェブサイトにアクセスして、その広告ウェブサイトを閲覧し、広告閲覧の希望地域を指定する。
【００４５】
サーバ２は、指定された地域の広告情報を消費者のＰＣ１０に送信する（広告提供ステップ、広告提供手段、広告提供機能）。即ち、サーバ２は、指定された地域の広告情報を消費者に提供する。
【００４６】
このような処理を実行する手段について説明する。
【００４７】
まず、広告ウェブ管理者のサーバ２について説明する。ここで、図２は、広告ウェブ管理者のサーバ２の構成を概略的に示すブロック図、図３は、各クライアントＰＣ５、７、８、９、１０の各部の電気的接続を示すブロック図、図４は、顧客データファイルのファイル構造を示す模式図、図５は、広告情報ファイルのファイル構造を示す模式図である。図２に示すように、サーバ２には、ＣＰＵ、コンピュータプログラムである制御プログラムを格納するＲＯＭ、ＲＡＭ（いずれも図示せず）等により構成される制御手段１６が設けられており、この制御手段１６が各部の制御や各種演算やデータの送信などを制御する。また、制御手段１６には、インターネット通信網３やＬＡＮ４とのデータの入出力制御を行なう通信制御手段１７が接続されている。
【００４８】
加えて、制御手段１６には、広告提供処理プログラムの一部であるウェブサーバプログラムを記憶する例えばＨＤＤ（Hard Disk Drive）により構成された記憶部１８と、ＣＧＩ（Common Gateway Interface）を介して呼び出される広告提供処理プログラムの一部である外部プログラム（以下、ＣＧＩプログラムという）とＨＴＭＬ（Hyper Text Markup Language）ファイルとを記憶する例えばＨＤＤにより構成された記憶部１９とが接続されている。なお、ウェブサーバプログラムは、例えば、小売業者ＡのクライアントＰＣ７からインターネット通信網３を介して広告ウェブサイトの閲覧要求があった時、ＨＴＭＬファイルの送信や、呼び出したＣＧＩプログラムに基づいてクライアントＰＣ７に閲覧情報を送信するプログラムであり、クライアントＰＣ７からの閲覧要求が予め用意されているＨＴＭＬファイルの閲覧要求であった場合、ウェブサーバプログラムは、制御手段１６にＨＴＭＬファイルをクライアントＰＣ７に送信させる。また、クライアントＰＣ７からの閲覧要求内に顧客データの送信やチラシ画像データの送信などがあった場合には、ウェブサーバプログラムは、制御手段にＣＧＩプログラムを呼び出させそのＣＧＩプログラムに基づいてデータの保存や各種演算を実行させる。
【００４９】
さらに、制御手段１６には、顧客データファイルＦ１を記憶する例えばＨＤＤから構成される記憶部２０、広告情報ファイルＦ２を記憶する例えばＨＤＤから構成される記憶部２１、広告画像ファイルＦ３を記憶する例えばＨＤＤから構成される記憶部２２が接続されている。
【００５０】
顧客データファイルＦ１には、図３に示すように、広告ウェブ管理者の顧客データとして、例えば、広告の依頼主である小売業者に付与される登録者ＩＤ毎に、パスワード、顧客の店名、その店の住所、電話番号、ＦＡＸ番号、Ｅメールアドレス、店の種類等の項目が記憶されている。
【００５１】
広告情報ファイルＦ２には、図４に示すように、例えば、掲載依頼された広告に付与される広告Ｎｏ．毎に、広告の依頼データであるその広告対象物を扱う店の地域を指定する掲載地域、広告の掲載期間（掲載開始日、掲載終了日）、店名等が記憶されている。
【００５２】
広告画像ファイルＦ３には、ＰＣ５、７、８、９から送られたチラシ画像データが広告Ｎｏ．毎に記憶されている。これらの各記憶部は、一の記憶部に全てが含まれるものであっても良い。
【００５３】
次に、広告ウェブ管理者のクライアントＰＣ５、小売業者Ａ、ＢのクライアントＰＣ７、８、印刷業者のクライアントＰＣ９、消費者のクライアントＰＣ１０について簡略的に説明する。ここで、図５は、各クライアントＰＣ５、７、８、９、１０の各部の電気的接続を示すブロック図である。図５に示すように、各クライアントＰＣ５、７、８、９、１０には、ＣＰＵ、制御プログラムを記憶するＲＯＭ、ＲＡＭ（いずれも図示せず）等で構成される制御手段２３が設けられており、この制御手段２３が各部の制御や各種演算やデータの送信などを制御する。この制御手段２３には、インターネット通信網３やＬＡＮ４等とのデータの入出力制御を行なう通信制御手段２４や、各種プログラムを記憶する例えばＨＤＤから構成される記憶部２５が接続されている。なお、各クライアントＰＣ５、７、８、９、１０によって記憶部２５に記憶されるプログラムは異なっており、この記憶部２５に保存されるプログラムの違いによって、各クライアントＰＣ５、７、８、９、１０ごとに特有の機能を発揮することになる。また、各クライアントＰＣ５、７、８、９、１０の記憶部２５には、ウェブサイトのブラウザ用のブラウザソフトがインストールされている。
【００５４】
加えて、各クライアントＰＣ５、７、８、９、１０には、制御手段２３によって制御される例えばＣＲＴ（Cathode Ray Tube）やＬＣＤ（Liquid Crystal Display）である表示部２６、データの入力部として機能するキーボード２７、画像選択手段として機能するマウス２８、外部から接続された装置とのデータの送受信を行なう通信Ｉ／Ｆ２９等が設けられている。クライアントＰＣ５、７、８には、通信Ｉ／Ｆ２９を介してスキャナ６、１２、１３が接続されている。
【００５５】
続いて、広告ウェブ管理者のサーバ２の記憶部１８、１９に記憶されているウェブサーバプログラムとＣＧＩプログラムとからなる広告提供処理プログラムが制御手段１６に実行させる広告依頼者の新規登録処理、掲載広告の登録処理、消費者への広告提供処理について、インターネットを利用した広告提供システム１の各部の動作と共に説明する。
【００５６】
［広告依頼者の新規登録処理］
まず、広告依頼者の新規登録処理について説明する。この新規登録処理は、初めて広告ウェブ管理者に広告の掲載を依頼する広告依頼者を広告ウェブ管理者の顧客として登録する処理である。なお、説明は、図６に示す広告ウェブ管理者のサーバ２が提供する広告ウェブサイトの新規登録処理及び掲載広告の登録処理におけるウェブページの画面遷移例を参照しながら行なう。この場合、必要に応じて、図７ないし図９を参照する。また、図６中の「Ｓｈ＋“番号”」は、サーバ２の記憶部１８に記憶されているウェブサーバプログラムが制御手段１６に記憶部１９に記憶されているＨＴＭＬファイルをクライアントＰＣ５、７、８、９、１０に送信させ、そのクライアントＰＣ５，７、８、９、１０の表示部２６にＨＴＭＬファイルに基づくウェブページを表示させる処理を実行させていることを示すものであり、「Ｓｃ＋“番号”」は、記憶部１９に記憶されているＣＧＩプログラムが制御手段１６に閲覧者の要求に応じて閲覧内容を変えさせたり、サーバ２内でファイル処理等を実行させていることを示すものである（以下の実施の形態においても同じ）。
【００５７】
例えば、広告依頼者である小売業者ＡがそのクライアントＰＣ７を用いて、サーバ１１とインターネット通信網３とを介して広告ウェブ管理者のサーバ２が提供する広告ウェブサイトにアクセスした場合、サーバ２は、クライアントＰＣ７に図６に示すようなトップページＰ１を送信する。ここで、図７は、このトップページＰ１を拡大して示している。図７に示すように、このトップページＰ１には、広告依頼ボタンＰ１ａとチラシ情報ボタンＰ１ｂとが表示されている。
【００５８】
クライアントＰＣ７の表示部２６に表示されたトップページＰ１の広告依頼ボタンＰ１ａがマウス２８によって選択されると、サーバ２がクライアントＰＣ７にＩＤ入力ページＰ２を送信する（Ｓｈ１）。このＩＤ入力ページＰ２には、新規登録ボタンＰ２ａ、ＩＤ・パスワード入力フォームＰ２ｂ、確認ボタンＰ２ｃが表示されている。
【００５９】
クライアントＰＣ７の表示部２６に表示されたＩＤ入力ページＰ２の新規登録ボタンＰ２ａがマウス２８によって選択されると、サーバ２がクライアントＰＣ７に依頼者登録ページＰ３を送信する（Ｓｈ２）。ここで、図８は、この依頼者登録ページＰ３を拡大して示している。図８に示すように、依頼者登録ページＰ３には、店名、住所、電話番号、ＦＡＸ番号、Ｅメールアドレス、店の種類を入力するフォームが表示されている。
【００６０】
新規登録者（小売業者Ａ）は、クライアントＰＣ７の表示部２６に表示された依頼者登録ページＰ３にキーボード２７やマウス２８を用いて必要項目を入力する。そして、必要事項の入力後、マウス２８で確認ボタンＰ３ａを選択すると、サーバ２がＣＧＩプログラムＳｃ１に基づく処理を実行する。
【００６１】
ここで、図９は、ＣＧＩプログラムＳｃ１に基づく処理の流れを示すフローチャートである。ＣＧＩプログラムＳｃ１に基づく処理は、まず新規登録者（小売業者Ａ）が入力した項目に記載漏れがないか否かを判定する（ステップＳ１）。入力された項目に記載漏れがあると判定した場合には（ステップＳ１のＮ）、クライアントＰＣ７にエラーである旨の画面（図示せず）を送信し、依頼者登録ページＰ３を再び送信する（ステップＳ６）。
【００６２】
ステップＳ１において、新規登録者（小売業者Ａ）が入力した項目に記載漏れがないと判定した場合には（ステップＳ１のＹ）、その入力された項目がサーバ２内の記憶部２０に記憶されている顧客データファイルＦ１の顧客データと重複しないか否かを判定する（ステップＳ２）。入力された項目が顧客データファイルＦ１の顧客データと重複すると判定した場合には（ステップＳ２のＮ）、クライアントＰＣ７にエラーである旨の画面を送信し、依頼者登録ページＰ３を再び送信する（ステップＳ７）。
【００６３】
ステップＳ２において、入力された項目が顧客データファイルＦ１の顧客データと重複しないと判定した場合には（ステップＳ２のＹ）、登録者ＩＤとパスワードとを発行し（ステップＳ３）、入力された項目と発行した登録者ＩＤとパスワードとに基づいて新規に顧客データファイルＦ１を作成して（ステップＳ４）、その顧客データファイルＦ１を記憶部２０に記憶させる。そして、クライアントＰＣ７に、図６に示すような登録者ＩＤとパスワードとが含まれている登録確認ページＰ４を送信して、新規登録者（小売業者Ａ）に登録者ＩＤとパスワードとを通知する（ステップＳ５）。
【００６４】
新規登録者（小売業者Ａ）がクライアントＰＣ７の表示部２６に表示された登録確認ページＰ４の登録者ＩＤとパスワードとを例えば紙等に控えて、登録確認ページＰ４の確認ボタンＰ４ａをマウス２８によって選択すると、サーバ２がクライアントＰＣ７にＩＤ入力ページを再び送信する（Ｓｈ３）。
【００６５】
［掲載広告の登録処理］
続いて、掲載広告の登録処理について説明する。この掲載広告の登録処理は、広告依頼者の広告を広告ウェブサイトに登録する処理である。なお、説明は、図６を参照しながら行なう。この場合、必要に応じて、図１０ないし図１４を参照する。図６に示すトップページＰ１の広告依頼ボタンＰ１ａ又は、登録確認ページＰ４の確認ボタンＰ４ａをクライアントＰＣ７のマウス２８により選択することによって、図６に示すＩＤ入力ページＰ２が表示部２６に表示されたクライアントＰＣ７において、掲載広告の登録処理にログインする為に、キーボード２７によってＩＤ・パスワード入力フォームＰ２ｂに登録者ＩＤとパスワードとを入力した後、マウス２８によって確認ボタンＰ２ｃを選択することにより、サーバ２がＣＧＩプログラムＳｃ２に基づいた処理を実行する。
【００６６】
ここで、図１０は、ＣＧＩプログラムＳｃ２に基づく処理の流れを示すフローチャートである。ＣＧＩプログラムＳｃ２に基づく処理は、まず広告依頼者（小売業者Ａ）が入力した登録者ＩＤは既に発行されているものか、そしてパスワードに間違いはないか否かを顧客データファイルＦ１を検索して判定する（ステップＳ２１）。入力された登録者ＩＤが未発行であったり、パスワードが間違っていると判定した場合には（ステップＳ２１のＮ）、クライアントＰＣ７にエラーである旨の画面を送信し、ＩＤ入力ページＰ２を再び送信する（ステップＳ２４）。
【００６７】
ステップＳ２１において、入力された登録者ＩＤは既に発行されているもので、パスワードに間違いはないと判定した場合には（ステップＳ２１のＹ）、入力された登録者ＩＤに該当する顧客データファイルＦ１から店名を抽出する（ステップＳ２２）。そして、クライアントＰＣ７に、図６に示すような広告依頼者トップページＰ５を送信する（ステップＳ２３）。この広告依頼者トップページＰ５には、ページの先頭にステップＳ２２において抽出した店名Ｐ５ａが表示されている。さらに、この広告依頼者トップページＰ５には、広告登録ボタンＰ５ｂが表示されている。
【００６８】
クライアントＰＣ７の表示部２６に表示された広告依頼者トップページＰ５の広告登録ボタンＰ５ｂがマウス２８によって選択されることにより、サーバ２がＣＧＩプログラムＳｃ３に基づく処理を実行する。ここで、図１１は、ＣＧＩプログラムＳｃ３に基づく処理の流れを示すフローチャートである。ＣＧＩプログラムＳｃ３に基づく処理は、クライアントＰＣ７に、図６に示すような広告登録ページＰ６を送信する（ステップＳ３１）。この広告登録ページＰ６には、ページ先頭にステップＳ２２において抽出した店名Ｐ６ａが表示されている。ここで、図１２は、広告登録ページＰ６を拡大して示している。図１２に示すように、この広告登録ページＰ６には、広告登録の依頼データである項目を入力する入力フォームが表示されており、予めクライアントＰＣ７のスキャナ１２によって読み取りＰＣ７によりチラシ画像データに変換されたチラシ広告のチラシ画像データ（変換ステップ）が記憶されている所在地を示すパスとファイル名とを入力する広告データ欄Ｐ６ｂ、広告をウェブに掲載する期間を入力する掲載期間欄Ｐ６ｃ、広告対象物を扱う店の地域の選択を行なうチェックボックスＰ６ｄ、確認ボタンＰ６ｅが表示されている。
【００６９】
クライアントＰＣ７の表示部２６に表示された広告登録ページＰ６の入力フォームの各項目がキーボード２７やマウス２８により入力されて、マウス２８により確認ボタンＰ６ｅが選択されると、広告データ欄Ｐ６ｂに指定したチラシ画像データがサーバ２へ送信されると共に、サーバ２がＣＧＩプログラムＳｃ４に基づく処理を実行する。
【００７０】
ここで、図１３は、ＣＧＩプログラムＳｃ４に基づく処理の流れを示すフローチャートである。ＣＧＩプログラムＳｃ４に基づく処理は、まず広告依頼者（小売業者Ａ）が広告登録ページＰ６において入力した記載項目に漏れがないか否かを判定する（ステップＳ４１）。記載項目に漏れがあると判定した場合には（ステップＳ４１のＮ）、クライアントＰＣ７にエラーである旨の画面を送信し、広告登録ページＰ６を再び送信する（ステップＳ４６）。
【００７１】
ステップＳ４１において、広告依頼者（小売業者Ａ）が広告登録ページＰ６において入力した記載項目に漏れがないと判定した場合には（ステップＳ４１のＹ）、広告Ｎｏ．を発行する（ステップＳ４２）。そして、クライアントＰＣ７から送信されてきたチラシ画像データをサーバ２の記憶部２２に新規の広告画像ファイルＦ３として記憶させる（ステップＳ４３（広告記憶ステップ、広告記憶手段、広告記憶機能））。このとき、このチラシ画像データの広告画像ファイルＦ３を広告Ｎｏ．で管理できるように例えば、そのファイル名を“送信された時のファイル名＋広告Ｎｏ．”に変更して記憶する。続いて、入力された項目に基づいて新規に広告情報ファイルＦ２を作成して（ステップＳ４４）、その広告情報ファイルＦ２をサーバ２の記憶部１９に記憶させる。そして、クライアントＰＣ７に、図６に示すような広告依頼の登録が完了した旨の広告登録確認ページＰ７を送信する。
【００７２】
ここで、小売業者のクライアントＰＣ７から広告ウェブ管理者のサーバ２へ送るチラシ画像データとして、チラシ広告を予めクライアントＰＣ７のスキャナ１２によって読み取り、ＰＣ７によりチラシ画像データに変換したチラシ画像データとしたが、チラシ画像データとしては、これに限るものではない。例えば、印刷業者が小売業者から依頼されて作成した新聞の折込チラシ広告用のチラシ広告の印刷用の画像データであるチラシ画像データを印刷業者のクライアントＰＣ９からインターネット通信網３を介してクライアントＰＣ７へ送ったものを用いても良い。さらには、このチラシ画像データを印刷業者のクライアントＰＣ９からインターネット通信網３を経由して広告ウェブ管理者のサーバ２へ送っても良い。
【００７３】
また、例えば、インターネット通信網３への接続手段を有しない小売業者Ｃは、印刷業者に作成させた新聞の折込チラシ広告用のチラシ広告を広告ウェブ管理者に持ち込み、図１４に示すような広告ウェブ管理者が予め用意したインターネットを利用した広告の依頼用紙に依頼データとして、例えば、店名、住所、電話番号、ＦＡＸ番号、持ち込んだチラシ広告の枚数、広告の掲載期間、広告対象物を扱う店の地域等を記載して、広告ウェブ管理者にインターネットを利用した広告を依頼すれば良い。そして、広告ウェブ管理者がスキャナ６によりそのチラシ広告を読み取り、ＰＣ５によりその読み取ったチラシ広告をチラシ画像データに変換し（変換ステップ）、ＰＣ５を用いて広告ウェブサイトにアクセスし、それらの依頼データとチラシ画像データとを有する広告掲載データをサーバ２に送れば良い。
【００７４】
［消費者への広告提供処理］
次に、登録されている広告の消費者への提供処理について、図１５に示す広告ウェブ管理者のサーバ２が提供する広告ウェブサイトの消費者への広告提供処理におけるウェブページの画面遷移例を参照しながら説明する。この場合、必要に応じて、図１６ないし図１８を参照する。
【００７５】
消費者がクライアントＰＣ１０を用いて、インターネットサービスプロバイダのサーバ１４とインターネット通信網３とを介して広告ウェブ管理者のサーバ２が提供する広告ウェブサイトにアクセスした場合、サーバ２は、クライアントＰＣ１０に図１５に示すようなトップページＰ１を送信する。このトップページＰ１は、図６にて示したトップページＰ１と同一である。
【００７６】
クライアントＰＣ１０の表示部２６に表示されたトップページＰ１のチラシ情報ボタンＰ１ｂがマウス２８等により選択されると、サーバ２がクライアントＰＣ１０に地域選択ページＰ８を送信する（Ｓｈ４）。この地域選択ページＰ８には、広告対象物を扱う店の地域を選択する為のチェックボックスＰ８ａと確認ボタンＰ８ｂとが表示されている。
【００７７】
クライアントＰＣ１０の表示部２６に表示された地域選択ページＰ８のチェックボックスＰ８ａの中で、消費者が広告の提供を要求する地域のチェックボックスＰ８ａをマウス２８によってチェックして確認ボタンＰ８ｂを選択すると、サーバ２がＣＧＩプログラムＳｃ５に基づく処理を実行する。
【００７８】
ここで、図１６は、ＣＧＩプログラムＳｃ５に基づく処理の流れを示すフローチャートである。ＣＧＩプログラムＳｃ５に基づく処理は、まず地域選択ページＰ８の地域選択のチェックボックスＰ８ａが１つ以上チェックされているか否かを判定する（ステップＳ５１）。地域選択のチェックボックスＰ８ａが１つ以上チェックされていないと判定した場合には（ステップＳ５１のＮ）、クライアントＰＣ１０にエラーである旨の画面を送信し、地域選択ページＰ８を再び送信する（ステップＳ５４）。
【００７９】
ステップＳ５１において、地域選択のチェックボックスＰ８ａが１つ以上チェックされていると判定した場合には（ステップＳ５１のＹ）、サーバ２の記憶部２１に記憶されている広告情報ファイルＦ２を検索して、選択された地域に該当し、かつクライアントＰＣ１０による広告ウェブサイト閲覧時の日付が広告掲載期間内の広告Ｎｏ．をピックアップする（ステップＳ５２）。そして、ピックアップした広告Ｎｏ．に該当する広告情報ファイルＦ２から店名を抽出して、クライアントＰＣ１０に、図１５に示すような地域別チラシ一覧ページＰ９を送信する（ステップＳ５３）。この地域別チラシ一覧ページＰ９には、抽出した店名が地域別に一覧表示されている。また、店名毎にその店のチラシ画像データを記憶している広告画像ファイルＦ３と対応づけられた確認ボタンＰ９ａが表示されている．
消費者がクライアントＰＣ９のマウス２８により、クライアントＰＣ１０の表示部２６に表示された地域別チラシ一覧ページＰ９に表示されている店名の確認ボタンＰ９ａを選択すると、サーバ２がＣＧＩプログラムＳｃ６に基づく処理を実行する。
【００８０】
ここで、図１７は、ＣＧＩプログラムＳｃ６に基づく処理の流れを示すフローチャートである。ＣＧＩプログラムＳｃ６に基づく処理は、、地域別チラシ一覧ページにおいて選択された店のチラシ画像データを記憶している広告画像ファイルＦ３を呼び出し、この広告画像ファイルＦ３のチラシ画像データ等から構成されるチラシ表示ページＰ１０をクライアントＰＣ１０に送信する（ステップＳ６１（広告提供ステップ、広告提供手段、広告提供機能））。ここで、図１８は、このチラシ表示ページＰ１０を拡大して示している。
【００８１】
そして、クライアントＰＣ１０の表示部２６には、チラシ表示ページＰ１０が表示される。
【００８２】
以上説明したように、本発明の参考例によれば、チラシ広告を広告情報であるチラシ画像データにすることでインターネット通信網３等を介して、消費者のＰＣ１０に提供することができるので、インターネットを利用した広告の為の広告情報の作成作業にかかる手間を低減することができる。
【００８３】
また、消費者にとっては、ＰＣ１０において地域毎のチラシ広告の広告情報の提供を受けることができるので、消費者にとっての利便性を向上させることができる。
【００８４】
なお、本参考例では、記憶部１８、１９、２０、２１、２２をサーバ２に設けたが、記憶部１８、１９、２０、２１、２２は、サーバ２と通信ネットワークを介して接続可能であれば、サーバ２に設ける必要はない。
【００８５】
また、チラシ広告として、新聞の折込チラシ広告を例に説明したが、チラシ広告としては、これに限るものではない。
【００８６】
また、読取装置として、スキャナ６、１２、１３を例に説明したが、読取装置としては、これに限るものではなく、例えば、デジタルカメラを読取装置として適用しても良い。
【００８７】
また、画像選択装置として、マウス２８を例に説明したが、画像選択手段としては、これに限るものではなく、例えば、トラックボール、ライトペン、タッチスクリーン、タブレットなどでも良い。
【００８８】
＜実施の形態＞
次に、本発明の一実施の形態について、インターネットを利用した広告提供システムに基づいて説明する。なお、説明には、図１９ないし図２８を参照する。なお、参考例において説明した部分と同一部分は同一符号で示し、説明も省略する。本実施の形態の基本的な構成は、参考例と同じであり、参考例との相違点は、消費者への広告の提供処理において、その広告に対するアクセスログを記憶し、そして、その記憶したアクセスログを広告主に提供するアクセスログの提供処理を行なうことである。
【００８９】
アクセスログに関わる処理は、消費者がチラシ広告のどの部分に関心を示しているかを把握する為と、消費者がチラシ広告のどの部分をよく見ているのかを把握する為とに行なう処理である。この処理の概略について説明する。まず、サーバ３０（図１９参照）は、消費者がＰＣ１０を用いて要求するチラシ広告の全体情報を消費者のＰＣ１０に送信する（広告提供ステップ、広告提供手段、広告提供機能）。次に、そのチラシ広告の中で消費者が関心を示した商品を消費者がＰＣ１０のマウス２８を用いて選択することによりその詳細情報を消費者のＰＣ１０に送信する（詳細情報提供ステップ）。この際、サーバ３０は、その選択された回数を記憶する（回数記憶ステップ）。そして、その記憶した回数を広告主である小売業者Ａ、Ｂ等のＰＣ７、８からの要求に応じて小売業者Ａ、Ｂ等に送信する（回数提供ステップ）。
【００９０】
このような処理を実行する為に、広告ウェブ管理者がクライアントＰＣ５を操作して、チラシ広告画像をそのチラシ広告に掲載されている商品毎の領域に分割し（分割ステップ）、それらの分割したチラシ広告画像により分割前のチラシ広告を再現したチラシ広告の全体情報をサーバ３０によって消費者のＰＣ１０に送信する。そして、消費者は、その分割された領域をＰＣ１０のマウス２８を用いて選択することとなる。このような処理によって、広告主は、消費者がチラシ広告のどの部分に関心を示しているかを把握することと、消費者がチラシ広告のどの部分をよく見ているのかを把握することとが可能となる。
【００９１】
このような処理を実行する手段について説明する。
【００９２】
図１９は、広告ウェブ管理者のサーバの構成を概略的に示す模式図である。図１９に示すように、サーバ３０には、参考例と異なり、さらにアクセスログファイルＦ４（図２２参照）を記憶する記憶部３１が設けられている。このアクセスログファイルＦ４については、後で詳しく説明する。
【００９３】
そして、本実施の形態では、参考例において説明したサーバ３０による広告登録処理が終了した後、広告ウェブ管理者がクライアントＰＣ５を操作して、広告登録処理において小売業者ＡのクライアントＰＣ７より送られサーバ２の記憶部２２の広告画像ファイルＦ３に記憶されているチラシ画像データを、図２０に示すようにそのチラシ画像をチラシ広告に掲載されている商品が占める領域に合わせて例えば、縦をｍ分割、横をｎ分割して合計ｍ×ｎ個の画像ファイルに分割する（分割ステップ）。そして、それぞれを記憶部２２に広告画像ファイルＦ３として記憶させる。この際、分割した広告画像ファイルＦ３はそれぞれ“元のファイル名＋広告Ｎｏ.＋座標（ｍ，ｎ）”からなるファイル名で記憶させる。ここで、チラシ画像データの分割は、上述した分割に限定されるものではなく、チラシ広告に掲載されている商品に合わせて分割すれば良い。
【００９４】
次に、広告ウェブ管理者は、クライアントＰＣ５を操作して、これらの分割されたｍ×ｎ個の広告画像ファイルＦ３により構成されるウェブページであるチラシ表示ページＰ１１を作成する。このチラシ表示ページＰ１１は、図２１に示すように、分割されたｍ×ｎ個の画像ファイルを並べて分割前のチラシ広告を再現させて表示させるものである。ここで、このチラシ表示ページＰ１１は、そのチラシ広告の内容の詳細までは確認できない程度のチラシ画像にされている。
【００９５】
次に、アクセスログファイルＦ４について説明する。図２２に示すように、アクセスログファイルＦ４は、例えば、広告Ｎｏ．、広告への総アクセス数、チラシ縦分割数ｍ、チラシ横分割数ｎ、広告画像ファイルＦ３（１，１）〜（ｍ，ｎ）へのそれぞれのアクセス数とから構成されている。ここで、アクセス数は、ＰＣ１０等による広告ウェブサイト閲覧において、マウス２８により所定の画像データが選択された回数である。
【００９６】
次に、広告ウェブ管理者のサーバ３０の記憶部１８、１９に記憶されているウェブサーバプログラムとＣＧＩプログラムとからなる広告提供処理プログラムが制御手段１６に実行させる消費者への広告提供処理と広告主へのアクセスログの提供処理とについて、インターネットを利用した広告提供システムの各部の動作と共に説明する。
【００９７】
［消費者への広告提供処理］
まず、消費者への広告提供処理について、図２３に示す広告ウェブ管理者のサーバ３０が提供する広告ウェブサイトの消費者への広告提供処理におけるウェブページの画面遷移例を参照しながら説明する。この場合、必要に応じて、図２４ないし図２５を参照する。この広告提供処理は、クライアントＰＣ１０に地域別チラシ一覧ページＰ９を送信する処理までは、参考例と同じである。
【００９８】
クライアントＰＣ１０のマウス２８等により、地域別チラシ一覧ページＰ９に表示されている店の確認ボタンＰ９ａが選択されることにより、サーバ２がＣＧＩプログラムＳｃ７に基づく処理を実行する。確認ボタンＰ９ａは、店名毎にその店のその店のチラシ画像データを記憶している広告画像ファイルＦ３とアクセスログファイルＦ４に対応づけられている。
【００９９】
ここで、図２４は、ＣＧＩプログラムＳｃ７に基づく処理の流れを示すフローチャートである。ＣＧＩプログラムＳｃ７に基づく処理は、まず、地域別チラシ一覧ページＰ９において選択された店のアクセスログファイルＦ４を検索し、該当する広告Ｎｏ．のアクセスログファイルＦ４をピックアップして、そのアクセスログファイルＦ４の“広告への総アクセス数”に１を加算して記憶させる（ステップＳ７１）。そして、クライアントＰＣ１０に、図２１に示すチラシ表示ページＰ１１を送信する（ステップＳ７２（広告提供ステップ、広告提供手段、広告提供機能））。
【０１００】
クライアントＰＣ１０の表示部２６に表示されたチラシ表示ページＰ１１のチラシ画像の中で、消費者が詳しく見たい領域（ｍ，ｎ）のチラシ画像データをマウス２８によってクリックして選択すると、サーバ３０がＣＧＩプログラムＳｃ８に基づく処理を実行する。
【０１０１】
ここで、図２５は、ＣＧＩプログラムＳｃ８に基づく処理の流れを示すフローチャートである。ＣＧＩプログラムＳｃ８に基づく処理は、まず、チラシ表示ページＰ１１において選択されたチラシ画像に該当するアクセスログファイルＦ４の“広告ファイル（ｍ，ｎ）へのアクセス数”に１を加算して記憶させる（ステップＳ８１（回数記憶ステップ））。そして、クライアントＰＣ１０に図２３に示すような選択されたチラシ画像データ等から構成される詳細表示ページＰ１２を送信する（ステップＳ８２（詳細情報提供ステップ））。
【０１０２】
そして、クライアントＰＣ１０の表示部２６には、詳細表示ページＰ１２が表示される。
【０１０３】
［広告主へのアクセスログの提供処理］
次に、アクセルログの提供処理について、図２６に示す広告ウェブ管理者のサーバ３０が提供する広告ウェブサイトの広告主へのアクセスログの提供処理におけるウェブページの画面遷移例を参照しながら説明する。この場合、必要に応じて、図２７ないし図２８を参照する。このアクセスログの提供処理は、クライアントＰＣ７に広告依頼者トップページＰ１３を送信する処理までは、参考例で説明した処理と同じである。本実施の形態の広告依頼者トップページＰ１３は、図２６に示すように、ＣＧＩプログラムＳｃ２に基づく処理のステップＳ２２において抽出した店名Ｐ５ａと広告登録ボタンＰ５ｂとさらにアクセスログボタンＰ１３ａとが表示されている。
【０１０４】
広告依頼主（小売業者Ａ）によるクライアントＰＣ７のマウス２８の操作によって、広告依頼者トップページＰ１３のアクセスログボタンＰ１３ａが選択されると、サーバ３０がＣＧＩプログラムＳｃ９に基づく処理を実行する。
【０１０５】
ここで、図２７は、ＣＧＩプログラムＳｃ９に基づく処理の流れを示すフローチャートである。ＣＧＩプログラムＳｃ９に基づく処理は、まず、ログインしている登録者ＩＤに該当する店名を顧客データファイルＦ１から抽出し、その抽出した店名に該当する広告情報ファイルＦ２が存在するか否かを広告情報ファイルＦ２を検索して判定する（ステップＳ９１）。ログインしている登録者ＩＤの店名に該当する広告情報ファイルＦ２が存在しないと判定した場合には（ステップＳ９１のＮ）、クライアントＰＣ７にエラーである旨の画面を送信し、広告依頼者トップページＰ１３を再び送信する（ステップＳ９５）。
【０１０６】
ステップＳ９１において、ログインしている登録者ＩＤの店名に該当する広告情報ファイルＦ２が存在すると判定した場合には（ステップＳ９１のＹ）、その広告情報ファイルＦ２から広告Ｎｏ．をピックアップする（ステップＳ９２）。そして、ステップＳ９２でピックアップした広告Ｎｏ．に該当するアクセスログファイルＦ４が存在するか否かをアクセスログファイルＦ４を検索して判定する（ステップＳ９３）。ピックアップした広告Ｎｏ.に該当するアクセスログファイルＦ４が存在しないと判定した場合には（ステップＳ９３のＮ）、クライアントＰＣ７にエラーである旨の画面を送信し、広告依頼者トップページＰ１３を再び送信する（ステップＳ９６）。
【０１０７】
ステップＳ９３において、ステップＳ９２でピックアップした広告Ｎｏ．に該当するアクセスログファイルＦ４が存在すると判定した場合には（ステップＳ９３のＹ）、図２６に示すような、そのアクセスログファイルＦ４の情報に基づいたアクセスログ表示ページＰ１４を作成し、クライアントＰＣ７に送信する（ステップＳ９４（回数提供ステップ））。ここで、図２８は、このアクセスログ表示ページＰ１４を拡大表示させたものである。図２８に示すように、アクセスログ表示ページＰ１４には、広告への総アクセス数Ｐ１４ａと、ｍ×ｎに分割したチラシ画像データへのそれぞれのアクセス数Ｐ１４ｂとが表示されている。
【０１０８】
そして、クライアントＰＣ７の表示部２６には、アクセスログ表示ページＰ１４が表示される。
【０１０９】
以上説明したように、本発明の一実施の形態によれば、広告主は、消費者が選択したチラシ画像データの領域の選択回数の情報を得ることができるので、チラシ広告に掲載した商品に対する消費者の示す関心を把握することができると共に、消費者がチラシ広告のどの部分をよく見ているのかを把握することができる。
【０１１０】
なお、本実施の形態では、記憶部３１をサーバ３０に設けたが、記憶部３１は、サーバ３０と通信ネットワークを介して接続可能であれば、サーバ３０に設ける必要はない。
【０１１１】
【発明の効果】
請求項１記載のインターネットを利用した広告提供方法の発明によれば、インターネットを利用した広告の為の広告情報の作成作業にかかる手間を低減することができ、消費者は、情報端末において、チラシ広告の中で関心のある領域の広告情報の提供を受けることができるので、消費者にとっての利便性を向上させることができ、広告主は、消費者が選択したチラシ広告の領域の選択回数情報を得ることができるので、チラシ広告に掲載した商品に対する消費者の示す関心を把握することができると共に、消費者がチラシ広告のどの部分をよく見ているのかを把握することができる。
【０１１２】
請求項２記載の発明によれば、消費者は、情報表示端末において地域毎のチラシ広告の広告情報の提供を受けることができるので、消費者にとっての利便性を向上させることができる。
【０１１６】
請求項３、４記載の発明によれば、広告情報の作成作業にかかる手間を低減することができる。
【０１１７】
請求項５記載の広告提供処理装置の発明によれば、チラシ広告の広告情報を通信ネットワークを介して、消費者の情報表示端末に提供することができるので、インターネットを利用した広告の為の広告情報の作成作業にかかる手間を低減することができ、消費者は、情報端末において、チラシ広告の中で関心のある領域の広告情報の提供を受けることができるので、消費者にとっての利便性を向上させることができ、広告主は、消費者が選択したチラシ広告の領域の選択回数情報を得ることができるので、チラシ広告に掲載した商品に対する消費者の示す関心を把握することができると共に、消費者がチラシ広告のどの部分をよく見ているのかを把握することができる。
【０１１８】
請求項６記載の発明によれば、消費者は、情報表示端末において地域毎のチラシ広告の広告情報の提供を受けることができるので、消費者にとっての利便性を向上させることができる。
【０１１９】
請求項７記載の機械読み取り可能な広告提供処理プログラムの発明によれば、チラシ広告の広告情報を通信ネットワークを介して、消費者の情報表示端末に提供することができるので、インターネットを利用した広告の為の広告情報の作成作業にかかる手間を低減することができ、消費者は、情報端末において、チラシ広告の中で関心のある領域の広告情報の提供を受けることができるので、消費者にとっての利便性を向上させることができ、広告主は、消費者が選択したチラシ広告の領域の選択回数情報を得ることができるので、チラシ広告に掲載した商品に対する消費者の示す関心を把握することができると共に、消費者がチラシ広告のどの部分をよく見ているのかを把握することができる。
【０１２０】
請求項８記載の発明によれば、消費者は、情報表示端末において地域毎のチラシ広告の広告情報の提供を受けることができるので、消費者にとっての利便性を向上させることができる。
【図面の簡単な説明】
【図１】  参考例のインターネットを利用した広告提供システムの全体構成を概略的に示す模式図である。
【図２】  広告ウェブ管理者のサーバの構成を概略的に示すブロック図である。
【図３】  顧客データファイルのファイル構造を示す模式図である。
【図４】  広告情報ファイルのファイル構造を示す模式図である。
【図５】  各クライアントＰＣの各部の電気的接続を示すブロック図である。
【図６】  広告ウェブ管理者のサーバが提供する広告ウェブサイトの新規登録処理及び掲載広告の登録処理におけるウェブページの画面遷移例を示す模式図である。
【図７】  広告ウェブ管理者のサーバが提供する広告ウェブサイトのトップページを示す模式図である。
【図８】  広告ウェブ管理者のサーバが提供する広告ウェブサイトの依頼者登録ページを示す模式図である。
【図９】  ＣＧＩプログラムＳｃ１に基づく処理の流れを示すフローチャートである。
【図１０】  ＣＧＩプログラムＳｃ２に基づく処理の流れを示すフローチャートである。
【図１１】  ＣＧＩプログラムＳｃ３に基づく処理の流れを示すフローチャートである。
【図１２】  広告ウェブ管理者のサーバが提供する広告ウェブサイトの広告登録ページを示す模式図である。
【図１３】  ＣＧＩプログラムＳｃ４に基づく処理の流れを示すフローチャートである。
【図１４】  インターネットを利用した広告依頼用紙を示す模式図である。
【図１５】  広告ウェブ管理者のサーバが提供する広告ウェブサイトの消費者への広告提供処理におけるウェブページの画面遷移例を示す模式図である。
【図１６】  ＣＧＩプログラムＳｃ５に基づく処理の流れを示すフローチャートである。
【図１７】  ＣＧＩプログラムＳｃ６に基づく処理の流れを示すフローチャートである。
【図１８】    広告ウェブ管理者のサーバが提供する広告ウェブサイトのチラシ表示ページを示す模式図である。
【図１９】  本発明の一実施の形態の広告ウェブ管理者のサーバの構成を概略的に示す模式図である。
【図２０】  チラシ広告の分割例を示す模式図である。
【図２１】  広告ウェブ管理者のサーバが提供する広告ウェブサイトのチラシ表示ページを示す模式図である。
【図２２】  アクセスログファイルのファイル構造を示す模式図である。
【図２３】  広告ウェブ管理者のサーバが提供する広告ウェブサイトの消費者への広告提供処理におけるウェブページの画面遷移例を示す模式図である。
【図２４】  ＣＧＩプログラムＳｃ７に基づく処理の流れを示すフローチャートである。
【図２５】  ＣＧＩプログラムＳｃ８に基づく処理の流れを示すフローチャートである。
【図２６】  広告ウェブ管理者のサーバが提供する広告ウェブサイトの広告主へのアクセスログの提供処理におけるウェブページの画面遷移例を示す模式図である。
【図２７】  ＣＧＩプログラムＳｃ９に基づく処理の流れを示すフローチャートである。
【図２８】  広告ウェブ管理者のサーバが提供する広告ウェブサイトのアクセスログ表示ページを示す模式図である。
【符号の説明】
２、３０                広告提供装置、サーバ
３、４                  通信ネットワーク（インターネット通信網、ＬＡＮ）５、７、８、９、１０    情報表示端末（ＰＣ）
６、１２、１３          読取装置（スキャナ）
２１、２２、３１        記憶部
２８                    画像選択手段（マウス）
【図１】
0003805995.tif 000002
【図２】
0003805995.tif 000003
【図３】
0003805995.tif 000004
【図４】
0003805995.tif 000005
【図５】
0003805995.tif 000006
【図６】
0003805995.tif 000007
【図７】
0003805995.tif 000008
【図８】
0003805995.tif 000009
【図９】
0003805995.tif 000010
【図１０】
0003805995.tif 000011
【図１１】
0003805995.tif 000012
【図１２】
0003805995.tif 000013
【図１３】
0003805995.tif 000014
【図１４】
0003805995.tif 000015
【図１５】
0003805995.tif 000016
【図１６】
0003805995.tif 000017
【図１７】
0003805995.tif 000018
【図１８】
0003805995.tif 000019
【図１９】
0003805995.tif 000020
【図２０】
0003805995.tif 000021
【図２１】
0003805995.tif 000022
【図２２】
0003805995.tif 000023
【図２３】
0003805995.tif 000024
【図２４】
0003805995.tif 000025
【図２５】
0003805995.tif 000026
【図２６】
0003805995.tif 000027
【図２７】
0003805995.tif 000028
【図２８】
0003805995.tif 000029